(57)【要約】【課題】閉状態での状態の確認が容易な情報処理装置を提供できる。【解決手段】所定の軸心周りに相対回転して開状態及び閉状態へ移行可能に連結された第１及び第２筐体を備えた情報処理装置であって、前記第１筐体は、前記軸心に近い第１縁部、前記軸心から離れ前記第１縁部に対向する第２縁部、を含み、前記第２筐体は、前記軸心に近い第３縁部、前記軸心から離れ前記第３縁部に対向する第４縁部、を含み、前記第２及び第４縁部は、それぞれ、部分的に突出し少なくとも前記閉状態で互いに重ならない部分を有した第１及び第２突出部を含み、前記第１突出部には、前記閉状態で該第１突出部の露出した部分に当該情報処理装置の状態を示す状態表示部が設けられている、情報処理装置。【選択図】図２
2014119920.tif 000002
【特許請求の範囲】
【請求項１】
所定の軸心周りに相対回転して開状態及び閉状態へ移行可能に連結された第１及び第２筐体を備えた情報処理装置であって、
前記第１筐体は、前記軸心に近い第１縁部、前記軸心から離れ前記第１縁部に対向する第２縁部、を含み、
前記第２筐体は、前記軸心に近い第３縁部、前記軸心から離れ前記第３縁部に対向する第４縁部、を含み、
前記第２及び第４縁部は、それぞれ、部分的に突出し少なくとも前記閉状態で互いに重ならない部分を有した第１及び第２突出部を含み、
前記第１突出部には、前記閉状態で該第１突出部の露出した部分に当該情報処理装置の状態を示す状態表示部が設けられている、情報処理装置。
【請求項２】
前記第１筐体は、前記閉状態で前記第２筐体に重なる面を有し、
前記状態表示部は、前記第１筐体の面に沿った前記第１突出部の面に設けられている、請求項１の情報処理装置。
【請求項３】
前記第１筐体内に設けられた発光部と、
前記第１筐体内に設けられ前記発光部の光を前記状態表示部に案内する導光部材と、を備え、
前記発光部及び導光部材は、前記第１突出部の突出方向に並んでいる、請求項１又は２の情報処理装置。
【請求項４】
前記発光部を実装し前記第１突出部の突出方向に垂直に配置されたプリント基板を備えた請求項３の情報処理装置。
【請求項５】
前記導光部材は、前記発光部に当接し前記突出方向に垂直な受光面、前記第１突出部に当接し前記突出方向に平行な照射面、を含む、請求項３又は４の情報処理装置。
【発明の詳細な説明】
【技術分野】
【０００１】
本発明は、情報処理装置に関する。
【背景技術】
【０００２】
開閉可能な２つの筐体を備えた情報処理装置が知られている。特許文献１には、このような装置に着脱可能であり２つの筐体の開閉を補助する部材が開示されている。
【先行技術文献】
【特許文献】
【０００３】
【特許文献１】実用新案登録第３１４５４６３号
【発明の概要】
【発明が解決しようとする課題】
【０００４】
このような情報処理装置では、一方の筐体に装置の状態を表示する状態表示部が設けられている場合がある。状態表示部の位置によっては、２つの筐体が閉じた状態で状態表示部が視認しにくくなり、装置の状態の確認がしにくくなるおそれがある。
【０００５】
本発明は、閉状態での状態の確認が容易な情報処理装置を提供することを目的とする。
【課題を解決するための手段】
【０００６】
本明細書に開示された情報処理装置は、所定の軸心周りに相対回転して開状態及び閉状態へ移行可能に連結された第１及び第２筐体を備えた情報処理装置であって、前記第１筐体は、前記軸心に近い第１縁部、前記軸心から離れ前記第１縁部に対向する第２縁部、を含み、前記第２筐体は、前記軸心に近い第３縁部、前記軸心から離れ前記第３縁部に対向する第４縁部、を含み、前記第２及び第４縁部は、それぞれ、部分的に突出し少なくとも前記閉状態で互いに重ならない部分を有した第１及び第２突出部を含み、前記第１突出部には、前記閉状態で該第１突出部の露出した部分に当該情報処理装置の状態を示す状態表示部が設けられている。
【発明の効果】
【０００７】
閉状態での状態の確認が容易な情報処理装置を提供できる。
【図面の簡単な説明】
【０００８】
【図１】図１は、ノート型コンピュータの説明図である。
【図２】図２は、ノート型コンピュータの説明図である。
【図３】図３は、ノート型コンピュータの説明図である。
【図４】図４は、図３の部分拡大図である。
【図５】図５は、図４のＡ−Ａ断面図である。
【発明を実施するための形態】
【０００９】
ノート型コンピュータを情報処理装置の一例として説明する。図１〜３は、本実施例のノート型コンピュータ１の説明図である。ノート型コンピュータ１は、開閉可能に連結された筐体１０、２０を有している。図１は、筐体１０、２０が開いた開状態を示した斜視図である。図２は、筐体１０、２０が閉じた閉状態を示した斜視図である。図３は、閉状態を示した上面図である。筐体１０、２０はそれぞれ第１及び第２筐体の一例である。筐体１０、２０は、ヒンジにより軸心Ａ周りに相対回転可能に連結されている。筐体１０は、上面１１、上面１１と対向し後述する底面１２、を含む。筐体１０は、略矩形状であり、縁部１３〜１６を含む。縁部１３、１４は対向し平行である。縁部１５、１６は対向し平行である。縁部１３、１４のそれぞれは、縁部１５、１６のそれぞれに直交する。各縁部１３、１４は、各縁部１５、１６よりも長い。
【００１０】
上面１１には、ノート型コンピュータ１を操作するためのキーボードＫ、スイッチＣＳ、電源スイッチＰＳが設けられている。キーボードＫやスイッチＣＳは、ユーザによって操作される操作部の一例である。筐体１０内には、ノート型コンピュータ１の動作全体を制御するためのマザーボードや、その他ハードディスク、バッテリ、メモリ等が収納されている。
【００１１】
筐体２０は、正面２１、正面２１と対向した背面２２を含む。筐体２０は、後述するディスプレイＤＰを収納している。ディスプレイＤは、画像を表示する表示部の一例である。正面２１にはディスプレイＤＰの画面が露出している。筐体２０は、略矩形状であり、縁部２３〜２６を含む。縁部２３、２４は対向し平行である。縁部２５、２６は対向し平行である。縁部２３、２４のそれぞれは、縁部２５、２６のそれぞれに直交する。各縁部２３、２４は、各縁部２５、２６よりも長い。
【００１２】
縁部１３、２３は軸心Ａの近くに位置し軸心Ａに沿って延びている。縁部１４、２４は、軸心Ａから離れている。縁部１４、２４は、開状態で離れ、閉状態で接近する。縁部１３、２３は、開状態及び閉状態の何れの状態でも接近している。縁部１３、１４は、それぞれ第１及び第２縁部の一例である。縁部２３、２４は、それぞれ第３及び第４縁部の一例である。縁部１４、２４のそれぞれは、部分的に突出した突出部１４ａ、２４ａを含む。図２、３に示すように閉状態では、突出部１４ａ、２４ａは部分的に重なり、互いに重なっていない部分を有している。突出部１４ａ、２４ａは、それぞれ第１及び第２突出部の一例である。
【００１３】
突出部１４ａ、２４ａが閉状態で互いに重なっていない部分があることにより、ユーザはその部分をつかんで筐体１０、２０を容易に開閉することができる。これにより、例えばノート型コンピュータ１が薄型であり閉状態で筐体１０の上面１１、筐体２０の正面２１の隙間が狭い場合であっても、ユーザは容易にノート型コンピュータ１を開くことができる。
【００１４】
図４は、図３の突出部１４ａの拡大図である。図４に示すように、閉状態で露出した突出部１４ａの部分には状態表示部ＳＤが設けられている。状態表示部ＳＤは、ノート型コンピュータ１の状態を表示する複数のインジケータが設けられている。例えば、状態表示部ＳＤには、ハードディスクへのアクセスの状態、バッテリの残量に関する状態、電源のオンオフに関する状態、無線通信に関する状態等を表示するインジケータが設けられている。このように、閉状態でも露出する突出部１４ａの部分に状態表示部ＳＤが設けられているので、ユーザは閉状態でノート型コンピュータ１の状態を容易に確認することができる。尚、突出部１４ａの状態表示部ＳＤには、状態の種類に応じた５つのインジケータが記載されているが、インジケータの数は５つに限定されない。また、状態の種類は上記の例に限定されない。例えば、状態表示部ＳＤは、ワイヤレスＬＡＮの状態、ＢＬＵＥＴＯＯＴＨ（登録商標）の通信状態、ＮＵＭＬＯＣＫの状態、ＣＡＰＳＬＯＣＫの状態、スタンバイの状態等を示すインジケータを含んでもよい。
【００１５】
図５は、図４のＡ−Ａ断面図である。筐体１０は、上面１１を画定するフロントケース１０Ｆ、底面１２を画定するリアケース１０Ｒを備えている。フロントケース１０Ｆ、リアケース１０Ｒ内にマザーボード等が収納される。フロントケース１０Ｆの裏面側には固定板７０が固定される。フロントケース１０Ｆの正面側の縁から突出するように部材３０が配置されている。部材３０は、縁部１４を画定する。部材３０は、固定板７０に固定された基端部３１、フロントケース１０Ｆとリアケース１０Ｒとの間から部分的に露出した先端部３２、を含む。また、部材３０は、上面１１の略延長面上に位置する上面３３を含む。先端部３２の上面３３は、閉状態で筐体２０から露出している。この上面３３に上記の状態表示部ＳＤで表記されたインジケータが記載される。裏面３５は、上面３３の反対側に位置している。
【００１６】
このように、筐体１０の上面１１に略平行な面に状態表示部ＳＤが表記されるので、例えば筐体の横側面に設けた場合と比較して、ユーザは容易にノート型コンピュータ１の状態を確認することができる。また、上面３３は若干凹部状に湾曲している。これにより、ユーザは突出部１４ａを押えやすくなっている。
【００１７】
筐体２０は、背面２２を画定するリアケース２０Ｒ、リアケース２０Ｒに組み付けられパネルＰを保持する枠状の額縁、を含む、パネルＰ及び額縁は、正面２１を画定する。パネルＰは、光透過性を有している。筐体２０内にはＤＰが収納されている。部材４０は、リアケース２０ＲとパネルＰとの間から部分的に突出している。部材４０は、縁部２４を画定する。部材４０の露出した部分には、閉状態でのパネルＰと上面１１との接触を防止するためのゴムＧが固定されている。
【００１８】
筐体１０内には、導光部材５０、プリント基板ＰＢが配置されている。プリント基板ＰＢは、剛性を有したリジット基板であるが、可撓性を有したフレキシブル基板であってもよい。プリント基板ＰＢには、ＬＥＤ（Ｌｉｇｈｔ  Ｅｍｉｔｔｉｎｇ  Ｄｉｏｄｅ）９０が実装されている。ＬＥＤ９０は、発光部の一例であり、発光部は発光するものであればＬＥＤ以外であってもよい。導光部材５０は、突出部１４ａが突出した方向ＤＤに延びた板状部５１、ＬＥＤ９０に当接した面５３、部材３０の裏面３５に当接した面５５、を含む。方向ＤＤは、上面１１に平行な仮想面に含まれる方向である。
【００１９】
導光部材５０は、インジケータの数に対応した数だけの板状部５１を含む。複数の板状部５１は、一体に形成されている。本実施例では５つの板状部５１が設けられている。複数の板状部５１は、図５の紙面の奥行及び手前方向に平行に並ぶように設けられている。即ち、縁部１４に沿って複数の板状部５１が並んでいる。複数の板状部５１が並んだ方向に延びて複数の板状部５１に連続した部分が設けられている。プリント基板ＰＢにも各インジケータの数だけ対応したＬＥＤ９０が実装されている。本実施例では５つのＬＥＤ９０が設けられている。プリント基板ＰＢは、マザーボードに電気的に接続され、ＬＥＤ９０の点灯状態が制御される。ＬＥＤ９０が照射する光は導光部材５０の面５３から板状部５１に入射して面５５から照射される。部材３０は、ある程度の光透過性を有しているため、面５５から光が照射されたインジケータが点灯する。
【００２０】
図５に示すように、プリント基板ＰＢ、ＬＥＤ９０、導光部材５０は、部材３０が突出した方向ＤＤに並ぶように配置されている。これにより、厚みが薄い筐体１０の先端部の内部空間にこれらを配置することができる。また、導光部材５０の面５３と面５５とは略直交し、プリント基板ＰＢは方向ＤＤに略垂直に配置されている。これにより、ＬＥＤ９０から照射された光を部材３０の状態表示部ＳＤへと案内することができる。面５３は受光面の一例であり、面５５は照射面の一例である。
【００２１】
以上本発明の好ましい一実施形態について詳述したが、本発明は係る特定の実施形態に限定されるものではなく、特許請求の範囲に記載された本発明の要旨の範囲内において、種々の変形・変更が可能である。
【００２２】
情報処理装置は、ノート型コンピュータに限定されず、開閉可能に連結された２つの筐体を有していればよい。例えば、携帯電話、テレビ、電子辞書、ＰＤＡ、ゲーム機、カメラ、音楽プレイヤ、ナビゲーション装置であってもよい。
【００２３】
また、本実施例では、筐体１０にキーボードＫ等の操作部が設けられ、筐体２０にはディスプレイが設けられているがこれに限定されない。例えば、筐体１０、２０の双方にディスプレイを設けても良い。筐体１０、２０の双方にタッチパネルを備えたディスプレイを設けてもよい。筐体１０にディスプレイを設け、筐体２０にキーボードやスイッチ、ボタン等の操作部を設けてもよい。筐体１０、２０の双方に操作部を設けてもよい。また、筐体１０、２０は、開閉可能に連結されるものであれば、互いに分離可能なものであってもよい。
【符号の説明】
【００２４】
１  ノート型コンピュータ（情報処理装置）
１０、２０  筐体（第１、第２筐体）
１４、２４  縁部（第２、第４縁部）
１４ａ、２４ａ  突出部（第１、第２突出部）
３０  部材
３３  上面
３５  裏面
５０  導光部材
５１  板状部
５３  受光面
５５  照射面
９０  ＬＥＤ（発光部）
ＳＤ  状態表示部
Ａ  軸心
ＰＢ  プリント基板
【図１】
2014119920.tif 000003
【図２】
2014119920.tif 000004
【図３】
2014119920.tif 000005
【図４】
2014119920.tif 000006
【図５】
2014119920.tif 000007